(57)【要約】      （修正有）【課題】マスクの機能を低下させることなく、広告を安価に設けることが可能な広告付きマスクを提供する。【解決手段】本体部１０は、装着者の口及び鼻腔周辺を覆う形状及び大きさを有するシートからなる。一対の引っ掛け部１１ａ、１１ｂは、開口部１１ａ１、１１ｂ１を有し、本体部１０の両側１０ａ、１０ｂにそれぞれ設けられ、開口部１１ａ１、１１ｂ１を装着者の両側部の耳に引っ掛けることで使用される。広告表示部１２は、本体部１０の表面１０ｃ、本体部の裏面、一対の引っ掛け部の表面のいずれかに文字、図形、記号のいずれか又はこれらの組み合わせの広告用の情報１２ａを、印刷、刺繍、型押しのいずれかにより直接設けることで構成される。【選択図】図１
0003227346.tif 000002
【実用新案登録請求の範囲】
【請求項１】
装着者の口及び鼻腔周辺を覆う形状及び大きさを有するシートからなる本体部と、
開口部を有し、前記本体部の両側部にそれぞれ設けられ、前記開口部を前記装着者の耳に引っ掛けることで使用される一対の引っ掛け部と、
前記本体部の表面、前記本体部の裏面、前記一対の引っ掛け部の表面のいずれかに、文字、図形、記号のいずれか又はこれらの組み合わせの広告用の情報を、印刷、刺繍、型押しのいずれかにより直接設けることで構成される広告表示部と、
を備える広告付きマスク。
【考案の詳細な説明】
【技術分野】
【０００１】
本考案は、広告付きマスクに関する。
【背景技術】
【０００２】
従来より、マスクに広告表示を行って、マスクを広告媒体として利用する技術が存在する。例えば、特開２００６−３２０４７５号公報（特許文献１）には、使用者の口許とその周辺を被覆するための本体部および該本体部の両側から使用者の頭部に装着可能なようにそれぞれ延びる装着部を有するマスクと、該マスクを内包する包装部材と、を備える配布用マスクが開示されている。このマスクには、その装着時に本体部の第三者から視認可能な位置に広告宣伝用の装飾が表示されている。これにより、広告・宣伝等の表示の効果を向上させ得る配布用マスクを提供することが出来るとしている。
【０００３】
又、特開２００７−１７１８８９号公報（特許文献２）には、粉塵及び花粉から呼吸器官を守るマスクに装着することにより、このマスクを広告媒体として活用することができる、広告スペースを備えた、着脱可能なシートが開示されている。これにより、シート数枚にそれぞれ異なる広告を表示しておくことにより、広告したい場所において交換することも可能となり、これをマスクに装着することによって、このマスクを移動広告媒体として活用できるという利点があるとしている。
【０００４】
又、実用新案登録第３１６５４１３号公報（特許文献３）には、使用者の口及び鼻腔周辺を覆う形状及び大きさを有するシート体からなるマスク本体と、マスク本体の両側に設けられる使用者の耳又は後頭部に係合する紐体からなる固定紐と、マスク本体の裏面に施される広告表示とを有する広告付きマスクが開示されている。これにより、使用者は広告表示に気を使うことなく、マスクを使用できるので、マスクの使用頻度が上がり、一日〜数日の間、使用者がマスクの着脱を行う度に広告を目にする機会が増えることになる。また、広告が使用時には隠れるので、広告をマスクの広範囲に施しても、使用者にとってあまり気になることがないとしている。
【先行技術文献】
【特許文献】
【０００５】
【特許文献１】特開２００６−３２０４７５号公報
【特許文献２】特開２００７−１７１８８９号公報
【特許文献３】実用新案登録第３１６５４１３号公報
【考案の概要】
【考案が解決しようとする課題】
【０００６】
ここで、マスクへ広告を取り付ける場合、マスクの機能を低下させることなく、広告を安価に設けることが出来ると好ましい。
【０００７】
特許文献１−３に記載の技術では、マスクの機能や製造コストについて何ら考慮されていないという課題がある。
【０００８】
そこで、本考案は、上述の課題を解決するためになされたものであり、マスクの機能を低下させることなく、広告を安価に設けることが可能な広告付きマスクを提供することを目的とする。
【課題を解決するための手段】
【０００９】
本考案に係る広告付きマスクは、本体部と、一対の引っ掛け部と、広告表示部と、を備える。本体部は、装着者の口及び鼻腔周辺を覆う形状及び大きさを有するシートからなる。一対の引っ掛け部は、開口部を有し、前記本体部の両側部にそれぞれ設けられ、前記開口部を前記装着者の両側部の耳に引っ掛けることで使用される。広告表示部は、前記本体部の表面、前記本体部の裏面、前記一対の引っ掛け部の表面のいずれかに、文字、図形、記号のいずれか又はこれらの組み合わせの広告用の情報を、印刷、刺繍、型押しのいずれかにより直接設けることで構成される。
【考案の効果】
【００１０】
本考案によれば、マスクの機能を低下させることなく、広告を安価に設けることが可能となる。
【図面の簡単な説明】
【００１１】
【図１】本考案に係る布製の広告付きマスクの表面全体の正面図と、装着時の斜視図とである。
【図２】本考案に係る広告付きマスクの表面全体における様々な広告表示部の正面図である。
【図３】本考案に係る不織布製の広告付きマスクの表面全体の正面図と、装着時の斜視図とである。
【図４】本考案に係るポリウレタン製の広告付きマスクの表面全体の正面図と、斜視図と、装着時の斜視図とである。
【図５】本考案に係る広告付きマスクの一対の引っ掛け部の表面に広告表示部が設けられた場合の表面全体の正面図と、装着時の斜視図とである。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係る広告付きマスク１は、図１に示すように、本体部１０と、一対の引っ掛け部１１ａ、１１ｂと、広告表示部１２と、を備える。
【００１４】
本体部１０は、装着者の口及び鼻腔周辺を覆う形状及び大きさを有するシートからなる。一対の引っ掛け部１１ａ、１１ｂは、開口部１１ａ１、１１ｂ１を有し、本体部１０の両側部１０ａ、１０ｂにそれぞれ設けられ、開口部１１ａ１、１１ｂ１を装着者の両側部の耳に引っ掛けることで使用される。広告表示部１２は、本体部１０の表面１０ｃに、文字、図形、記号のいずれか又はこれらの組み合わせの広告用の情報１２ａを、印刷、刺繍、型押しのいずれかにより直接設けることで構成される。
【００１５】
これにより、マスクの機能を低下させることなく、広告を安価に設けることが可能となる。即ち、本考案では、本体部１０の表面１０ｃに情報１２ａを直接設けることで、着脱可能なシート等を用いて広告用の情報を設けるよりも、マスクの本体部１０の通気性を損なうことなく、広告用の情報１２ａを付与することが可能となる。
【００１６】
又、広告用の情報１２ａは、印刷、刺繍、型押しのいずれかの方法によりマスクの本体部１０に直接固定される。そのため、着脱可能なシート等を用いることが無いことから、部品点数が増加することなく、直接加工により、広告用の情報１２ａを安価にマスク本体１０に設けることが可能となる。安価に製造することが出来るため、ノベルティグッツとしても利用することが出来る。
【００１７】
ここで、印刷とは、広告用の情報１２ａに従ってインクを本体部１０の表面１０ｃに写すことを言う。刺繍とは、広告用の情報１２ａに従って糸を本体部１０の表面１０ｃに縫うことを言う。型押しとは、広告用の情報１２ａに従った凹凸のある金属盤を加熱して本体部１０の表面１０ｃに所定の圧力で押し付けることで、凹凸の模様を本体部１０の表面１０ｃに付けることを言う。
【００１８】
又、広告用の情報１２ａに特に限定は無いが、例えば、図１に示すように、「ＡＢＣＤＥＦＧＨＩＪＫ」の文字や会社名、商号、名称、住所、電話番号、ファクシミリ番号、ホームページのアドレスなどでも良いし、写真や地図などの図形でも良いし、商標やロゴなどでも構わない。もちろん、広告用の情報１２ａの文字、図形、記号のサイズは問わず、本体部１０の表面１０ｃのサイズに合わせて適宜設定される。
【００１９】
又、広告表示部１２の形状や設置位置に特に限定は無いが、例えば、図１に示すように、本体部１０の表面１０ｃの下方側に沿って横長の長方形に設けられても良いし、図２に示すように、本体部１０の表面１０ｃの全面に沿った横長の長方形、本体部１０の表面１０ｃのうち、鼻腔周辺を除いた凹状の形状、本体部１０の表面１０ｃの中央に沿った縦長の長方形、本体部１０の表面１０ｃの中央に沿った横長の長方形、本体部１０の表面１０ｃの両側に沿った二つの縦長の長方形、本体部１０の表面１０ｃの上下の端部に沿った二つの横長の長方形などを挙げることが出来る。
【００２０】
又、一対の引っ掛け部１１ａ、１１ｂの構成に特に限定は無いが、例えば、図１に示すように、ゴム紐の両端を本体部１０の一方の側部１０ａ（又は他方の側部１０ｂ）の上下に固着することで構成しても良いし、本体部１０の一方の側１０ａ（又は他方の側１０ｂ）に筒体を形成し、その筒体に、ゴム紐の一方の端部を通して、ゴム紐の他方の端部に固着することで、ゴム紐のループを形成して構成しても構わない。
【００２１】
又、本体部１０の構成に特に限定は無く、図１では、長方形の布のシートで構成しても良いし、図３に示すように、立体的な展開を可能とするように左右方向に沿って設けられた複数のタック１０ｄを有する不織布のシートで構成しても良い。又、図３に示すように、広告表示部１２は、広告用の情報１２ａを複数並列するとともに、それぞれのサイズを適宜設定しても構わない。
【００２２】
又、本考案に係る広告付きマスク１について、例えば、図４に示すように、本体部１０を、装着者の口及び鼻腔周辺の半分を覆うような二枚のポリウレタン製の略三角形状で、一方の角の近くに開口部１１ａ１、１１ｂ１を有し、残りの二つの角で囲まれた一辺で接合した形状に構成しても良い。この場合、一対の引っ掛け部１１ａ、１１ｂは、本体部１０と一体的に構成され、本体部１０の両側部１０ａ、１０ｂは、本体部１０と一対の引っ掛け部１１ａ、１１ｂとの境界に存在する。又、広告表示部１２は、本体部１０の表面１０ｃの両側部（一側部）の下方（又は上方）にそれぞれ設けられても良い。このように、広告表示部１０を本体部１０の表面１０ｃの一部にワンポイント的に設けることで、装着者が周りの目を気にすることなくマスク１を装着することが出来る。
【００２３】
尚、上述では、広告表示部１２は、本体部１０の表面１０ｃに広告用の情報１２ａが設けることで構成したが、他の実施形態として、図示しないが、本体部１０の裏面に広告用の情報１２ａが設けられることで構成されても構わない。
【００２４】
又、上述では、広告表示部１２は、本体部１０の表面１０ｃ又は裏面に広告用の情報１２ａを設けることで構成したが、他の実施形態として、例えば、図５に示すように、一対の引っ掛け部１１ａ、１１ｂの表面に、広告用の情報１２ａを設けることが出来るスペースが存在する場合は、広告表示部１２は、一対の引っ掛け部１１ａ、１１ｂの表面に広告用の情報１２ａを設けることで構成しても構わない。図５では、複数のタック１０ｄを有する不織布の本体部１０を一例として挙げているが、布製であってもポリウレタン製であっても良いし、他の材質であっても構わない。一対の引っ掛け部１１ａ、１１ｂが紐で構成されず、帯で構成されている場合には、広告用の情報１２ａを設けることが出来る。尚、広告用の情報１２ａの位置に特に限定は無く、一対の引っ掛け部１１ａ、１１ｂの一端又は両端の近傍でも良いし、中央でも良い。
【００２５】
ここで、広告用の情報１２ａを設ける場合、一対の引っ掛け部１１ａ、１１ｂのいずれか、又は両方に設けても良い。更に、本体部１０の表面１０ｃ又は裏面に広告用の情報１２ａを設けても構わない。これにより、広告表示部１２の数を増加させ、宣伝広告の効果を更に得ることが可能となる。
【産業上の利用可能性】
【００２６】
以上のように、本考案に係る広告付きマスクは、布製のマスクはもちろん、不織布製のマスクやポリウレタン製のマスクなど、あらゆるマスクに有用であり、マスクの機能を低下させることなく、広告を安価に設けることが可能な広告付きマスクとして有効である。
【符号の説明】
【００２７】
１  広告付きマスク
１０  本体部
１１ａ、１１ｂ  一対の引っ掛け部
１２  広告表示部
【図１】
0003227346.tif 000003
【図２】
0003227346.tif 000004
【図３】
0003227346.tif 000005
【図４】
0003227346.tif 000006
【図５】
0003227346.tif 000007